【手続補正書】
【提出日】平成19年9月28日(2007.9.28)
【手続補正１】
【補正対象書類名】明細書
【補正対象項目名】特許請求の範囲
【補正方法】変更
【補正の内容】
【特許請求の範囲】
【請求項１】  （i）不透明な被記録材上に少なくとも１つの着色剤を含む第１のインクをインクジェット法で付与して可視画像を形成する工程；及び（ii）該被記録材の、該可視画像と相補的な部分に、該被記録材の色相を変化させない、或いは実質的に変化させない第２のインクを付与する工程、を有し、それによって該可視画像と、該可視画像に対し相補的な部分との光沢感の差を緩和することを特徴とするインクジェット記録方法。
【請求項２】  該被記録材と、該第１のインクとの組み合わせが、該被記録材の表面光沢よりも、該可視画像の表面光沢が高くなるような関係を与える組み合わせであって、該第２のインクが、該被記録材の表面光沢を向上させるものである請求項１に記載のインクジェット記録方法。
【請求項３】  該第１のインクが、色材と光硬化型のオリゴマ−と光重合開始剤とを含み、また該第２のインクが、光硬化型のオリゴマ−と光重合開始剤とを含む請求項２に記載のインクジェット記録方法。
【請求項４】  該被記録材と、該第１のインクとの組み合わせが、該被記録材の表面光沢が、該可視画像の表面光沢よりも高くなるような関係を与える組み合わせであり、該第２のインクが、該被記録材の表面光沢を低下させるものである請求項１に記載のインクジェット記録方法。
【請求項５】  該第１のインクが、色材として水不溶性の色材を分散状態で含んでいる水性インクであり、該第２のインクが、顔料を分散状態で含んでいる請求項４に記載のインクジェット記録方法。
【請求項６】  該第２のインク中の顔料が、透明或いは無彩色の顔料である請求項５に記載のインクジェット記録方法。
【請求項７】  該透明或いは無彩色の顔料が、平均粒径２００ｎｍ以下のシリカ、平均粒径２００ｎｍ以下のアルミナ、及び平均粒径２００ｎｍ以下の酸化チタンから選ばれる少なくとも１つである請求項６に記載のインクジェット記録方法。
【請求項８】  請求項１〜７の何れか１項に記載のインクジェット記録方法により得られたことを特徴とするインクジェット記録画像。
【請求項９】  不透明な被記録材上に少なくとも１つのインクを、インクジェット法を用いて付与することによって形成されてなる可視画像と、該可視画像と相補的な部分と、の間の光沢感の差を緩和する方法であって、該可視画像と相補的な部分に対して、該被記録材を着色しない、或いは実質的に着色しない第２のインクを付与する工程を有することを特徴とするインクジェット記録画像における光沢感の差の緩和方法。
【手続補正２】
【補正対象書類名】明細書
【補正対象項目名】０００８
【補正方法】変更
【補正の内容】
【０００８】
［１］  （i）不透明な被記録材上に少なくとも１つの着色剤を含む第１のインクをインクジェット法で付与して可視画像を形成する工程；及び（ii）該被記録材の、該可視画像と相補的な部分に、該被記録材の色相を変化させない、或いは実質的に変化させない第２のインクを付与する工程、を有し、それによって該可視画像と、該可視画像に対し相補的な部分との光沢感の差を緩和することを特徴とするインクジェット記録方法。
【手続補正３】
【補正対象書類名】明細書
【補正対象項目名】０００９
【補正方法】変更
【補正の内容】
【０００９】
［２］  該被記録材と、該第１のインクとの組み合わせが、該被記録材の表面光沢よりも、該可視画像の表面光沢が高くなるような関係を与える組み合わせであって、該第２のインクが、該被記録材の表面光沢を向上させるものである［１］記載のインクジェット記録方法。
【手続補正４】
【補正対象書類名】明細書
【補正対象項目名】００１１
【補正方法】変更
【補正の内容】
【００１１】
［４］  該被記録材と、該第１のインクとの組み合わせが、該被記録材の表面光沢が、該可視画像の表面光沢よりも高くなるような関係を与える組み合わせであり、該第２のインクが、該被記録材の表面光沢を低下させるものである［１］記載のインクジェット記録方法。
【手続補正５】
【補正対象書類名】明細書
【補正対象項目名】００１３
【補正方法】変更
【補正の内容】
【００１３】
［６］  該第２のインク中の顔料が、透明或いは無彩色の顔料である［５］記載のインクジェット記録方法。
【手続補正６】
【補正対象書類名】明細書
【補正対象項目名】００１５
【補正方法】変更
【補正の内容】
【００１５】
［８］  ［１］〜［７］の何れか１項に記載のインクジェット記録方法により得られたことを特徴とするインクジェット記録画像。
【手続補正７】
【補正対象書類名】明細書
【補正対象項目名】００１６
【補正方法】変更
【補正の内容】
【００１６】
［９］  不透明な被記録材上に少なくとも１つのインクを、インクジェット法を用いて付与することによって形成されてなる可視画像と、該可視画像と相補的な部分と、の間の光沢感の差を緩和する方法であって、該可視画像と相補的な部分に対して、該被記録材を着色しない、或いは実質的に着色しない第２のインクを付与する工程を有することを特徴とするインクジェット記録画像における光沢感の差の緩和方法。
【手続補正８】
【補正対象書類名】明細書
【補正対象項目名】００１９
【補正方法】変更
【補正の内容】
【００１９】
該ヘッドは前記した記録装置に配置され、記録信号に応じて（図５（ｂ）の507参照）、Y、M、C、Bk各色の記録インクを吐出するほか、背景部分には透明な色が着色しているという記録信号を送り（図５（ｂ）の５０9参照）、第２のインクを吐出させ、被記録材の印字可能領域を完全にインクで被覆させる。図５（ａ）は、上記の方法により得られたインクジェット記録画像の概略断面図である。図５において、５０１は、被記録材を示し、５０３は第１のインクの付与により形成された可視画像部（着色部）、５０５は、該可視画像の背景をなし、かつ該第２のインクが打ち込まれてなるクリアーインク領域である。そして、該第２のインクは、該第２のインクの被記録材付与部分の表面光沢が、可視画像部の表面光沢と等しいか、或いは実質的に等しくなるように調整されていることから、図５のインクジェット記録画像は、可視画像部と背景部分との間で表面光沢に大きな差異がなく、当該インクジェット画像を見た人が違和感を抱きにくいものとなる。
なお、図５において可視画像部５０３と、背景部分５０５との間では、被記録材の表面ができる限り露呈しないように印字を行うことが好ましいが、被記録材上におけるインクのにじみ方によっては、着色部に非着色部のインクがにじみでても良いし、また、にじみが少ない場合は境界面において被記録材が露呈していても良い。にじみ率が足りなくて露出する程度の被記録材の量であれば、光沢度や平滑性の均一性に支障はない。
【手続補正９】
【補正対象書類名】明細書
【補正対象項目名】００２２
【補正方法】変更
【補正の内容】
【００２２】
図３は、インクジェットプリント装置の実施態様の概略構成を示す模式的斜視図である。図３において、１５０４はキャリッジ１５０３の主走査方向に延在し該キャリッジを摺動自在に支持する走査レール、１５０５はキャリッジ１５０３を往復動させるための駆動力を伝達する駆動ベルトである。又、１５０６、１５０７及び１５０８、１５０９は、夫々、プリントヘッドによるプリント位置の前後に配置されて被記録材（被記録媒体）１５１０の挟持搬送を行うための搬送ローラ対である。紙等の被記録媒体１５１０は、プリント位置の部分で、プリント面を平坦に規制するためのプラテン（不図示）に圧接状態で案内支持されている。この時、キャリッジ１５０３に搭載された各ヘッドカートリッジ（ヘッド）１５０１、１５０２の吐出口形成面は、該キャリッジ１５０３から下方へ突出して被記録媒体搬送用ローラ１５０７、１５０９間に位置し、プラテン（不図示）の案内面に圧接された被記録媒体１５１０に平行に対向するようになっている。
【手続補正１０】
【補正対象書類名】明細書
【補正対象項目名】００２５
【補正方法】変更
【補正の内容】
【００２５】
又、回復ユニット１５１１は、各キャップ１５１２に連通した吸引ポンプ１５１４と、キャップ１５１３に連通した吸引ポンプ１５１５を備えている。これらのポンプ１５１４及び１５１５は、プリントヘッド１５０１や、液体組成物吐出用ヘッド１５０２に吐出不良が生じた場合に、それらの吐出口形成面をキャップ１５１２及び１５１３でキャッピングして、吸引回復処理を実行するのに使用される。更に、左端から５番目の液体組成物用のキャップ１５１３と、６番目（右端）のブラックインク用のキャップ１５１２との間には、液体組成物吐出ヘッド１５０２用のブレード１５１７が配置され、右端のキャップ１５１２の右側（プリント領域側）に各プリントヘッド１５０１用のブレード１５１６が配置されている。そして、ブレード１５１７はブレードホルダー１５１９によって保持され、ブレード１５１６はブレードホルダー１５１８によって保持されている。この態様においては、これらのブレードホルダー１５１８及び１５１９は、キャリッジ１５０３の移動を利用して駆動されるブレード昇降機構（不図示）によって各々昇降され、それによって、ブレード１５１６及び１５１７は、ヘッド１５０１及び１５０２の吐出口形成面に付着したインクや異物をワイピングすべく突出した位置（ワイピング位置）と、吐出口形成面に接触しない後退した位置（待機位置）との間で昇降する。この場合、プリントヘッド１５０１をワイピングするブレード１５１６と液体組成物吐出ヘッド１５０２をワイピングするブレード１５１７は、互いに独立して個別に昇降できるように構成されている。
本発明に適するインクとしては、インクジェットプリント装置で記録可能なものであればいかなる物でも良い。
本発明において、第２のインクとして如何なるインクを用いるかは、被記録材と第１のインクとの組み合わせによって決定される。即ち、先に述べた様に、第１のインクとして紫外線硬化型インクを使った場合は、色材が染料、顔料を問わず紫外線硬化型オリゴマーの透明な膜が着色部に形成するため、平滑性が高まり光沢性が被記録材よりも高くなる。印字濃度が高い部分では周囲の被記録材よりも光沢度が高くなり、印字濃度が低い部分においては造膜した部分と非着色部の被記録材の部分との間において凹凸が生じ、印字部の光沢性の不均一性を感じる。第１のインクが顔料インクの場合は、被記録材の表面に染着する染料インクとは異なり顔料が被記録材の表面に定着する。印字濃度や紙種によって被記録材と印字部の光沢性の高低が変わる。平滑性が低い紙、半光沢紙、普通紙やマット調の紙（高品位専用紙；商品名：HR101 キヤノン株式会社製など）においては印字面と被記録材の平滑性がほぼ等しいため、印字濃度にかかわらず印字物の光沢性は均一である。ところが、銀塩写真画質が得られる非常に平滑性の高い紙やフィルム（商品名：プロフェッショナルフォトペーパーPR101、商品名：光沢フィルムHG201キヤノン株式会社製など）においては、被記録材に定着した顔料粒子の凹凸が被記録材自身の凹凸よりも大きいため、光沢性が悪化する。一方、被記録材が、上記マットな紙と光沢性の非常に高い紙の中間にある紙いわゆる通常の写真用紙（フォト光沢紙；商品名：GP301キヤノン株式会社製）においては、被記録材自身の凹凸が定着した顔料粒子の凹凸よりも大きいため、印字濃度が高い部分で光沢性が高くなる。第２のインクは、被記録材と第１のインクとの組み合わせに応じて、適宜調製することが重要である。以下に２つの態様を挙げて本発明の構成について、より詳細に説明する。
（第１の態様）第１のインクが色材として顔料を含む場合；
第１のインクが色材としてカーボンブラックや有機顔料などの顔料を含み、かつ被記録材が、非常に表面平滑性の高い紙やフィルムの場合、顔料の大半が被記録材の表面、或いは表面とその近傍に位置することとなる為、可視画像部の表面の光沢性は、被記録媒体の表面光沢よりも低くなる。従って、第２インクは、被記録材の表面光沢を低下させるような組成とすることが好ましい。このような第２インクとしては、平滑性調整のために平均粒径２００ｎm以下のアルミナゾル、シリカゾル、微粒子化した酸化チタンなどの無機微粒子、ラテックス、デンドリマー等水に分散する樹脂などの透明もしくは無彩色の微粒子を含むことが好ましい。平均粒径が２００ｎｍより大きいとノズルを詰まらせたり、沈降等によりインクの保存性が悪化するためこのましくない。
【手続補正１１】
【補正対象書類名】図面
【補正対象項目名】図３
【補正方法】変更
【補正の内容】
【図３】
2003191601.tif 000001
【手続補正１２】
【補正対象書類名】図面
【補正対象項目名】図５
【補正方法】変更
【補正の内容】
【図５】
2003191601.tif 000002